(57)【要約】【課題】記憶しているコンテンツに反映される嗜好に応じたインターネット上、または自装置内のコンテンツを簡単に検索して利用する。【解決手段】選択部８４は、選択されたコンテンツに関連付けられている複数の関連情報から、１つの関連情報を選択する。検索部９３は、選択された関連情報である選択関連情報を検索語句として、選択されたコンテンツに関係する関係コンテンツを検索する。関連付け部８６は、選択関連情報を介して、選択されたコンテンツと関係コンテンツとを関連付ける。本発明は、デジタルメディアプレーヤに適用できる。【選択図】図３
2010191940.tif 000002
【特許請求の範囲】
【請求項１】
選択されたコンテンツに関連付けられている複数の関連情報から、１つの関連情報を選択する選択手段と、
前記選択手段により選択された上記関連情報である選択関連情報を検索語句として、上記選択されたコンテンツに関係する関係コンテンツを検索する検索手段と、
上記選択関連情報を介して、上記選択されたコンテンツと上記関係コンテンツとを関連付ける関連付け手段と
を有することを特徴とする情報処理装置。
【請求項２】
請求項１に記載の情報処理装置において、
前記選択手段は、前記関係コンテンツの種類を選択し、
前記検索手段は、選択された種類の前記関係コンテンツを検索する
ことを特徴とする情報処理装置。
【請求項３】
請求項１に記載の情報処理装置において、
前記検索手段は、前記複数の関連情報のうち、前記複数の関連情報のそれぞれに関連付けされている前記選択されたコンテンツまたは前記関係コンテンツの数が最も多い前記選択関連情報を検索語句として、前記関係コンテンツを検索する
ことを特徴とする情報処理装置。
【請求項４】
請求項３に記載の情報処理装置において、
前記検索手段は、前記選択関連情報と、現在位置を示す位置情報とを検索語句として、コンテンツを検索する
ことを特徴とする情報処理装置。
【請求項５】
請求項１に記載の情報処理装置において、
前記選択手段は、前記選択されたコンテンツとして再生されている再生中コンテンツに関連付けられている前記関連情報を選択する
ことを特徴とする情報処理装置。
【請求項６】
請求項１から請求項５のいずれか１項記載の情報処理装置において、
前記検索手段は、前記選択手段により選択された上記関連情報である選択関連情報を検索語句として、ネットワークを介して前記選択されたコンテンツに関係する関係コンテンツを検索することを特徴とする情報処理装置。
【請求項７】
請求項１から請求項５のいずれか１項記載の情報処理装置において、
関連データベースを有し、
前記検索手段は、関連データベースを参照して前記選択されたコンテンツに関係する関係コンテンツを検索することを特徴とする情報処理装置。
【請求項８】
コンテンツを記憶している情報処理装置の情報処理方法において、
上記コンテンツのうち選択されたコンテンツに関連付けられている複数の関連情報から、１つの関連情報を選択する選択ステップと、
選択された上記関連情報である選択関連情報を検索語句として、上記選択されたコンテンツに関係する関係コンテンツを検索する検索ステップと、
上記選択関連情報を介して、上記選択されたコンテンツと上記関係コンテンツとを関連付ける関連付けステップと
を含むことを特徴とする情報処理方法。
【請求項９】
コンテンツを記憶している情報処理装置のコンピュータに情報処理を行わせるプログラムにおいて、
上記コンテンツのうち選択されたコンテンツに関連付けられている複数の関連情報から、１つの関連情報を選択する選択ステップと、
選択された上記関連情報である選択関連情報を検索語句として、上記選択されたコンテンツに関係する関係コンテンツを検索する検索ステップと、
上記選択関連情報を介して、上記選択されたコンテンツと上記関係コンテンツとを関連付ける関連付けステップと
を含む情報処理を行わせるプログラム。
【発明の詳細な説明】
【技術分野】
【０００１】
本発明は、情報処理装置および情報処理方法、並びにプログラムに関する。
【背景技術】
【０００２】
近年、携帯電話機やデジタルオーディオプレーヤ（ＤＡＰ：digital  audio  player）、デジタルメディアプレーヤ（ＤＭＰ：digital  media  player）などのモバイル端末装置において、利用者の好きな音楽や、動画、写真を持ち歩く利用スタイルが一般的になった。また、インターネット上には、音楽や動画、写真、辞書、百科事典などのコンテンツが存在し、その数や種類は近年急速に増加している。
【０００３】
そういった状況の中で、携帯電話機やスマートフォン、ＰＤＡ（personal  digital  assistant）（携帯情報端末機）などを利用することにより、利用者は音楽を始めとする自分の好みのコンテンツを持ち歩きつつ、ＩＴＵ（international  telecommunication  union）（国際電気通信連合）によって定められたＩＭＴ（international  mobile  telecommunication）−２０００標準に準拠した第３世代の携帯電話方式、いわゆる３Ｇの携帯電話方式の伝送回線またはＬＡＮ（local  area  network）などのネットワークを介してインターネット上のコンテンツも利用することが可能である。
【０００４】
従来は、コンテンツの属性を示すコンテンツ属性データと、コンテンツ属性データによって識別される複数のコンテンツ間の関係を示す関係属性データとから構成されるコンテキストデータをコンピュータネットワークから収集し、コンテキストデータのうち所定内容の関係属性データを含むコンテキストデータからコンテンツ属性データを抽出してリスト表示し、リスト上のコンテンツ属性データ間の関係を示す文字又は図形を収集したコンテキストデータ中の所定内容が記述されていない関係属性データに基づいて作成してコンテンツ属性データ間に重ねて表示するようにしているものもある（例えば、特許文献１参照）。
【先行技術文献】
【特許文献】
【０００５】
【特許文献１】特開２００３−９９４６６号公報
【発明の概要】
【発明が解決しようとする課題】
【０００６】
しかしながら、利用者が端末装置に入れている音楽などのコンテンツに関する情報と、インターネット等のネットワーク上のコンテンツとは独立していた。また、当該端末装置内に入れている音楽、動画、または静止画などの種類の異なるコンテンツの間でもお互いに独立していた。そのため、端末装置に入っているコンテンツに強く反映するであろう利用者の嗜好が、ネットワーク経由または当該端末装置内での検索および取得する際のコンテンツに反映されることはなかった。
【０００７】
そこで、本発明は、上記課題を解決すること、すなわち、記憶しているコンテンツに反映される嗜好に応じたネットワーク上の、または装置内のコンテンツを簡単に検索して利用する情報処理装置および情報処理方法、並びにプログラムを提供することを目的とする。
【課題を解決するための手段】
【０００８】
上記課題を解決するために、本発明の情報処理装置の一側面は、選択されたコンテンツに関連付けられている複数の関連情報から、１つの関連情報を選択する選択手段と、選択手段により選択された関連情報である選択関連情報を検索語句として、選択されたコンテンツに関係する関係コンテンツを検索する検索手段と、選択関連情報を介して、選択されたコンテンツと関係コンテンツとを関連付ける関連付け手段とを有するものとされている。
【０００９】
また、本発明の情報処理装置の一側面は、上述の構成に加えて、選択手段が、関係コンテンツの種類を選択し、検索手段が、選択された種類の関係コンテンツを検索するものとされている。
【００１０】
さらに、本発明の情報処理装置の一側面は、上述の構成に加えて、検索手段は、複数の関連情報のうち、複数の関連情報のそれぞれに関連付けされている選択されたコンテンツまたは関係コンテンツの数が最も多い選択関連情報を検索語句として、関係コンテンツを検索するものとされている。
【００１１】
また、本発明の情報処理装置の一側面は、上述の構成に加えて、検索手段は、選択関連情報と、現在位置を示す位置情報とを検索語句として、コンテンツを検索するものとされている。
【００１２】
さらにまた、本発明の情報処理装置の一側面は、上述の構成に加えて、選択手段は、選択されたコンテンツとして再生されている再生中コンテンツに関連付けられている関連情報を選択するものとされている。
【００１３】
また、本発明の情報処理装置の一側面は、上述の構成に加えて、検索手段は、選択手段により選択された関連情報である選択関連情報を検索語句として、ネットワークを介して選択されたコンテンツに関係する関係コンテンツを検索するものとされている。
【００１４】
また、本発明の情報処理装置の一側面は、上述の構成に加えて、関連データベースを有し、検索手段は、関連データベースを参照して選択されたコンテンツに関係する関係コンテンツを検索するものとされている。
【００１５】
また、本発明の情報処理方法の一側面は、コンテンツのうち選択されたコンテンツに関連付けられている複数の関連情報から、１つの関連情報を選択する選択ステップと、選択された関連情報である選択関連情報を検索語句として、選択されたコンテンツに関係する関係コンテンツを検索する検索ステップと、選択関連情報を介して、選択されたコンテンツと関係コンテンツとを関連付ける関連付けステップとを含むものとされている。
【００１６】
さらに、本発明のプログラムの一側面は、コンピュータに、コンテンツのうち選択されたコンテンツに関連付けられている複数の関連情報から、１つの関連情報を選択する選択ステップと、選択された関連情報である選択関連情報を検索語句として、選択されたコンテンツに関係する関係コンテンツを検索する検索ステップと、選択関連情報を介して、選択されたコンテンツと関係コンテンツとを関連付ける関連付けステップとを含む処理を行わせるものとされている。
【発明の効果】
【００１７】
本発明の一側面によれば、記憶しているコンテンツに反映される嗜好に応じたネットワーク上の、または装置内のコンテンツを簡単に検索して利用する情報処理装置および情報処理方法、並びにプログラムを提供することができる。
【図面の簡単な説明】
【００１８】
【図１】本発明の実施例１に係る情報処理装置のＤＭＰ１１を含む情報処理システムの構成例を示す図である。
【図２】ＤＭＰ１１のハードウェアの構成例を示すブロック図である。
【図３】ＤＭＰ１１によって実現される機能の構成の例を示すブロック図である。
【図４】ＤＭＰ１１の関連付けの処理を説明するフローチャートである。
【図５】ＤＭＰ１１の関連付けの処理を説明するフローチャートである。
【図６】ＤＭＰ１１の表示の例を示す図である。
【図７】ＤＭＰ１１の表示の例を示す図である。
【図８】ＤＭＰ１１の表示および関連付けの例を示す図である。
【図９】ＤＭＰ１１の表示および関連付けの例を示す図である。
【図１０】ＤＭＰ１１の表示および関連付けの例を示す図である。
【図１１】ＤＭＰ１１の表示および関連付けの例を示す図である。
【図１２】関連付けの例を示す図である。
【図１３】検索の処理を説明するフローチャートである。
【図１４】ＤＭＰ１１の表示および関連付けの例を示す図である。
【図１５】ＤＭＰ１１の表示の例を示す図である。
【図１６】ＤＭＰ１１の表示および関連付けの例を示す図である。
【図１７】ＤＭＰ１１の表示および関連付けの例を示す図である。
【図１８】本発明の実施例２に係る情報処理装置のＤＭＰ１１Ａによって実現される機能の構成例を示すブロック図である。
【図１９】ＤＭＰ１１Ａの関連付けの処理を説明するフローチャートである。
【図２０】ＤＭＰ１１Ａの表示および関連付けの例を示す図である。
【図２１】ＤＭＰ１１Ａの表示および関連付けの例を示す図である。
【図２２】ＤＭＰ１１Ａの表示および関連付けの例を示す図である。
【図２３】ＤＭＰ１１Ａの表示および関連付けの例を示す図である。
【図２４】ＤＭＰ１１Ａの表示および関連付けの例を示す図である。
【図２５】ＤＭＰ１１Ａの表示および関連付けの例を示す図である。
【発明を実施するための形態】
【００１９】
以下、本発明の実施例に係る情報処理装置について、図１〜図２５を参照しながら説明する。
【実施例１】
【００２０】
図１は、本発明の実施例１に係る情報処理装置のデジタルメディアプレーヤ１１（以下、ＤＭＰ１１と称する）を含む情報処理システムの構成の例を示す図である。ＤＭＰ１１は、フラッシュメモリやハードディスクなどの内蔵しているメモリに、音楽、動画、写真などのコンテンツを記憶し、記憶しているコンテンツを再生する。また、ＤＭＰ１１は、インターネット１２を介して、Ｗｅｂサーバ１３−１またはＷｅｂサーバ１３−２にアクセスして、Ｗｅｂサーバ１３−１またはＷｅｂサーバ１３−２から各種のコンテンツを検索し、取得する。
【００２１】
図２は、後述する一連の処理をプログラムにより実行するコンピュータとしてのＤＭＰ１１のハードウェアの構成例を示すブロック図である。
【００２２】
ＤＭＰ１１において、ＣＰＵ（Central  Processing  Unit）５１，ＲＯＭ（Read  Only  Memory）５２，ＲＡＭ（Random  Access  Memory）５３は、バス５４により相互に接続されている。
【００２３】
バス５４には、さらに、入出力インターフェース５５が接続されている。入出力インターフェース５５には、ボタンやダイヤル、タッチパネル、ＧＰＳ（global  positioning  system）受信機などよりなる入力部５６、ディスプレイ、スピーカなどよりなる出力部５７、ハードディスクや不揮発性のメモリなどよりなる記憶部５８、Wi-Fi  Alliance  によって認証された無線ネットワークインタフェースなどよりなる通信部５９、磁気ディスク、光ディスク、光磁気ディスク、或いは半導体メモリなどのリムーバブルメディア６１を駆動するドライブ６０が接続されている。
【００２４】
以上のように構成されるコンピュータであるＤＭＰ１１では、ＣＰＵ５１が、例えば、記憶部５８に記憶されているプログラムを、入出力インターフェース５５及びバス５４を介して、ＲＡＭ５３にロードして実行することにより、上述した一連の処理が行われる。
【００２５】
ＤＭＰ１１（ＣＰＵ５１）が実行するプログラムは、例えば、磁気ディスク（フレキシブルディスクを含む）、光ディスク（ＣＤ-ＲＯＭ：Compact  Disc-Read  Only  Memory）,ＤＶＤ(Digital  Versatile  Disc)等）、光磁気ディスク、もしくは半導体メモリなどよりなるパッケージメディアであるリムーバブルメディア６１に記録して、あるいは、ローカルエリアネットワーク、インターネット１２、デジタル衛星放送といった、有線または無線の伝送媒体を介して提供される。
【００２６】
そして、プログラムは、リムーバブルメディア６１をドライブ６０に装着することにより、入出力インターフェース５５を介して、記憶部５８に記憶することで、ＤＭＰ１１にインストールすることができる。また、プログラムは、有線または無線の伝送媒体を介して、通信部５９で受信し、記憶部５８に記憶することで、ＤＭＰ１１にインストールすることができる。その他、プログラムは、ＲＯＭ５２や記憶部５８にあらかじめ記憶しておくことで、ＤＭＰ１１にあらかじめインストールしておくことができる。
【００２７】
図３は、プログラムを実行するＤＭＰ１１によって実現される機能の構成の例を示すブロック図である。ＤＭＰ１１がプログラムにより実行することにより、再生制御部８１、キーワード抽出部８２、表示制御部８３、選択部８４、Ｗｅｂブラウザ機能８５、関連付け部８６、関連データベース８７、嗜好キーワード選択部８８、およびＧＰＳ受信処理部８９が実現される。再生制御部８１は、記憶部５８またはリムーバブルメディア６１に記憶されている、音楽、動画、写真などのコンテンツの再生を制御する。なお、パーソナルコンピュータを介すなどして、ＤＭＰ１１に転送されたコンテンツが、記憶部５８またはリムーバブルメディア６１に記憶されている。
【００２８】
キーワード抽出部８２は、音楽が再生されている場合、その音楽についての、タイトル、曲名、演奏者名、作曲者名、リリース年、または歌詞などのアルバム情報を抽出するなどして、コンテンツに関係するキーワードを抽出する。キーワードは、コンテンツのメタデータなど、コンテンツに関する関連情報の一例である。表示制御部８３は、抽出されたキーワードのリストをディスプレイである出力部５７に表示させる。選択部８４は、利用者の指示に応じてキーワードを選択し、または利用者の指示に応じてコンテンツの種類を選択する。コンテンツの種類とは、コンテンツの方式やコンテンツの形態をいう。例えば、コンテンツの種類として、動画、事典（百科事典を含む）、地図、音楽、写真、または辞書などが挙げられる。
【００２９】
選択部８４は、キーワード選択部９１およびコンテンツ種類選択部９２を含む。キーワード選択部９１は、ボタンやダイヤル、タッチパッドなどよりなる入力部５６への利用者の操作に応じた、入力部５６からの信号を取得することにより、リストとして表示されているキーワードから、利用者の指示に応じたキーワードを選択する。コンテンツ種類選択部９２は、ボタンやダイヤル、タッチパッドなどよりなる入力部５６への利用者の操作に応じた、入力部５６からの信号を取得することにより、コンテンツの種類を選択する。
【００３０】
Ｗｅｂブラウザ機能８５は、ＷＷＷ（world wide Ｗｅｂ）システムを使ってインターネット１２上で公開されている文書、いわゆる、Ｗｅｂページを閲覧する機能である。Ｗｅｂブラウザ機能８５は、検索部９３を含む。検索部９３は、インターネット１２を介して、記憶しているコンテンツに関係するコンテンツであって、Ｗｅｂページで公開されているコンテンツを検索する。なお、検索部９３は、いわゆるサーバサイドスクリプトにより実現するようにしてもよい。
【００３１】
関連付け部８６は、選択されたキーワードを介して、記憶しているコンテンツと検索されたコンテンツとを関連付ける。関連データベース８７は、記憶しているコンテンツと検索されたコンテンツとの関連付けを示すデータを格納する。
【００３２】
例えば、関連付け部８６は、関連データベース８７に、記憶しているコンテンツと検索されたコンテンツとキーワードとの関連付けを示すポインタを格納させることにより、記憶しているコンテンツと検索されたコンテンツとキーワードとを関係付ける。例えば、関連付け部８６は、関連データベース８７に、キーワードに対応させて、記憶しているコンテンツを特定するＩＤと検索されたコンテンツを特定するＩＤとを格納させることにより、記憶しているコンテンツと検索されたコンテンツとキーワードとを関係付ける。
【００３３】
なお、関連付け部８６は、記憶しているコンテンツと検索されたコンテンツのそれぞれのヘッダなどにキーワードを格納することにより、選択されたキーワードを介して、記憶しているコンテンツと検索されたコンテンツとを関連付けるようにしてもよい。
【００３４】
嗜好キーワード選択部８８は、関連データベース８７に格納されている、記憶しているコンテンツと検索されたコンテンツとの関連付けを示すデータを参照にして、関連付けられているコンテンツの数の最も多いキーワードを選択する。ＧＰＳ受信処理部８９は、ＧＰＳ受信機である入力部５６で受信した、ＧＰＳ衛星からの信号から、現在位置を求める。
【００３５】
次に、図４および図５のフローチャートを参照して、関連付けの処理を説明する。ステップＳ１１において、再生制御部８１は、記憶部５８またはリムーバブルメディア６１に記憶されているコンテンツの一例である音楽の再生を開始させる。例えば、図６に示されるように、ディスプレイである出力部５７に表示されている音楽の再生を指示するアイコン、動画の再生を指示するアイコン、および写真の表示を指示するアイコンのうち、利用者がタッチパネルである入力部５６を操作して、音楽の再生を指示するアイコンにタッチすることにより、再生制御部８１は、記憶部５８に記憶されている音楽の再生を開始させる。
【００３６】
ステップＳ１２において、選択部８４は、入力部５６からの信号を参照して、入力部５６のボタンが利用者により押圧されたか否かを判定する。ステップＳ１２において、入力部５６のボタンが押圧されたと判定された場合、手続はステップＳ１３に進み、キーワード抽出部８２は、再生されている音楽のアルバム情報から、タイトル、曲名、演奏者名、作曲者名、リリース年、または歌詞などのキーワードを抽出する。
【００３７】
ステップＳ１４において、表示制御部８３は、抽出されたキーワードのリストをディスプレイである出力部５７に表示させる。ステップＳ１５において、選択部８４のキーワード選択部９１は、タッチパネルである入力部５６を操作する利用者から入力された、キーワードの選択の指示を受け付け、表示されているキーワードのリストの中からキーワードを選択する。
【００３８】
ステップＳ１６において、選択部８４のコンテンツ種類選択部９２は、タッチパネルである入力部５６を操作する利用者から入力された、コンテンツの種類の選択の指示を受け付け、表示されているアイコンによって指示されたコンテンツの種類を選択する。
【００３９】
例えば、図７に示されるように、「カウルの動く城  サウンドトラック」である音楽が再生されている場合、入力部５６のボタンが押圧されると、ＤＭＰ１１は、ディスプレイである出力部５７に、アルバム情報から抽出したキーワードである、「万石譲」、「半賞智恵子」、「新世界フィルハーモニー交響楽団」を含むリストを表示させる。利用者がタッチパネルである入力部５６を操作して、「万石譲」であるキーワードの部分にタッチすると、選択部８４のキーワード選択部９１は、「万石譲」であるキーワードを選択する。また、動画の選択を指示するアイコン、写真の選択を指示するアイコン、および事典の選択を指示するアイコンのうち、利用者がタッチパネルである入力部５６を操作して、事典の選択を指示するアイコンにタッチすることにより、選択部８４のコンテンツ種類選択部９２は、コンテンツの種類として、事典を選択する。
【００４０】
ステップＳ１７において、Ｗｅｂブラウザ機能８５の検索部９３は、選択されたコンテンツの種類を対象に、選択されたキーワードでインターネット１２上のサイトを検索する。すなわち、検索部９３は、選択されたキーワードを検索語句として、インターネット１２を介して、Ｗｅｂサーバ１３−１およびＷｅｂサーバ１３−２から、再生されている音楽に関連するコンテンツを検索する。ステップＳ１８において、Ｗｅｂブラウザ機能８５は、Ｗｅｂサーバ１３−１またはＷｅｂサーバ１３−２から、検索されたコンテンツをダウンロードすることにより取得する。ステップＳ１９において、関連付け部８６は、取得したコンテンツを選択されたキーワードを介して再生している音楽に関連付ける。すなわち、関連付け部８６は、キーワードを介して、取得したコンテンツと再生されている音楽とを関連付ける。関連付け部８６は、関連データベース８７に、音楽とキーワードと取得したコンテンツとの関連付けを示すデータを格納させる。
【００４１】
例えば、図８の左側に示されるように、コンテンツの種類として、動画が選択された場合、Ｗｅｂブラウザ機能８５の検索部９３は、ＹｏｕＴｕｂｅ（商標）をはじめとする動画を提供するサイトにアクセスして、キーワードに関連する動画を検索する。キーワードとして「万石譲」が選択され、コンテンツの種類として、動画が選択された場合、Ｗｅｂブラウザ機能８５の検索部９３は、ＹｏｕＴｕｂｅ（商標）をはじめとする動画を提供するサイトにアクセスして、提供されている動画のうち、「万石譲」の動画を検索する。そして、Ｗｅｂブラウザ機能８５は、「万石譲」の動画をダウンロードすることにより取得し、図８の右側に示されるように、関連付け部８６は、キーワード「万石譲」を介して、「万石譲」の動画と「カウルの動く城  サウンドトラック」である音楽とを関連付ける。関連データベース８７は、キーワード「万石譲」と「万石譲」の動画と「カウルの動く城  サウンドトラック」である音楽との関連付けを示すデータを格納する。このようにして、ＤＭＰ１１では、「カウルの動く城  サウンドトラック」である音楽と「万石譲」の動画とが、「万石譲」であるキーワードを介して関連付けされることになる。
【００４２】
ステップＳ２０において、Ｗｅｂブラウザ機能８５は、ステップＳ１８の処理で取得したコンテンツが百科事典であるか否かを判定する。ステップＳ２０において、取得したコンテンツが百科事典であると判定された場合、ステップＳ２１に進み、Ｗｅｂブラウザ機能８５は、表示制御部８３に、取得した百科事典の表示を指示する。表示制御部８３は、ディスプレイである出力部５７に百科事典を表示させる。ステップＳ２２において、選択部８４は、入力部５６からの信号を参照して、入力部５６のボタンが利用者により押圧されたか否かを判定する。ステップＳ２２において、入力部５６のボタンが押圧されたと判定された場合、手続はステップＳ２３に進み、キーワード抽出部８２は、表示されている百科事典から、キーワードを抽出する。
【００４３】
ステップＳ２４において、表示制御部８３は、抽出されたキーワードのリストをディスプレイである出力部５７に表示させる。ステップＳ２５において、選択部８４のキーワード選択部９１は、タッチパネルである入力部５６を操作する利用者から入力された、キーワードの選択の指示を受け付け、表示されているキーワードのリストの中からキーワードを選択する。
【００４４】
ステップＳ２６において、選択部８４のコンテンツ種類選択部９２は、タッチパネルである入力部５６を操作する利用者から入力された、コンテンツの種類の選択の指示を受け付け、表示されているアイコンによって指示されたコンテンツの種類を選択する。ステップＳ２７において、Ｗｅｂブラウザ機能８５の検索部９３は、選択されたコンテンツの種類を対象に、選択されたキーワードでインターネット１２上のサイトを検索する。すなわち、検索部９３は、選択されたキーワードを検索語句として、インターネット１２を介して、Ｗｅｂサーバ１３−１およびＷｅｂサーバ１３−２から、表示されている百科事典に関連するコンテンツを検索する。ステップＳ２８において、Ｗｅｂブラウザ機能８５は、Ｗｅｂサーバ１３−１またはＷｅｂサーバ１３−２から、検索されたコンテンツをダウンロードすることにより取得する。ステップＳ２９において、関連付け部８６は、取得したコンテンツを選択されたキーワードを介して表示している百科事典に関連付ける。すなわち、関連付け部８６は、キーワードを介して、取得したコンテンツと表示している百科事典とを関連付ける。関連付け部８６は、関連データベース８７に、百科事典とキーワードと取得したコンテンツとの関連付けを示すデータを格納させ、関連付けの処理は終了する。
【００４５】
ステップＳ２２において、入力部５６のボタンが押圧されていないと判定された場合、これ以上の関連付けが利用者から指示されていないので、関連付けの処理は終了する。
【００４６】
ステップＳ２０において、取得したコンテンツが百科事典でないと判定された場合、関連付けの処理は終了する。また、ステップＳ１２において、入力部５６のボタンが押圧されていないと判定された場合、関連付けが利用者から指示されていないので、関連付けの処理は終了する。
【００４７】
例えば、「カウルの動く城  サウンドトラック」である音楽と「万石譲」の動画とが、「万石譲」であるキーワードを介して関連付けされた後、再度、関連付けの処理が行われ、キーワードとして「万石譲」が選択され、コンテンツの種類として、事典が選択された場合、Ｗｅｂブラウザ機能８５の検索部９３は、Ｗｉｋｉｐｅｄｉａ（商標）をはじめとする百科事典のサイトにアクセスして、百科事典の項目のうち、「万石譲」の項目を検索し、Ｗｅｂブラウザ機能８５は、「万石譲」の項目をダウンロードすることにより取得する。そして、図９の左側に示されるように、「万石譲」の項目がディスプレイである出力部５７に表示される。さらに、関連付け部８６は、キーワード「万石譲」を介して、百科事典の「万石譲」の項目と「カウルの動く城  サウンドトラック」である音楽とを関連付ける。関連データベース８７は、キーワード「万石譲」と百科事典の「万石譲」の項目と「カウルの動く城  サウンドトラック」である音楽との関連付けを示すデータを格納する。このようにして、図９の右側に示されるように、ＤＭＰ１１では、「カウルの動く城  サウンドトラック」である音楽と百科事典の「万石譲」の項目とが、「万石譲」であるキーワードを介して関連付けされることになる。
【００４８】
図９に示される状態で入力部５６のボタンが押圧されると、キーワード抽出部８２は、表示されている百科事典の「万石譲」の項目から、「大分駿」、「クインシー・ジョンソン」、「映画音楽」、「おわり人間ギャートルズ」、「風の谷のエゾジカ」などのキーワードを抽出する。そして、図１０の左側に示されるように、「大分駿」、「クインシー・ジョンソン」、「映画音楽」、「おわり人間ギャートルズ」、「風の谷のエゾジカ」などのキーワードのリストがディスプレイである出力部５７に表示される。そしてさらに、ステップＳ２５において、キーワードとして「大分駿」が選択され、ステップＳ２６において、コンテンツの種類として、写真が選択された場合、Ｗｅｂブラウザ機能８５の検索部９３は、Ｇｏｏｇｌｅ（商標）のサイトから、「大分駿」をキーワードとして、イメージ検索する。そして、図１１の左側に示されるように、「大分駿」に関連する写真のサムネイルがディスプレイである出力部５７に表示される。
【００４９】
さらに、ステップＳ２８において、Ｗｅｂブラウザ機能８５は、「大分駿」の写真をダウンロードすることにより取得し、関連付け部８６は、キーワード「大分駿」を介して、百科事典の「万石譲」の項目と「大分駿」の写真とを関連付ける。関連データベース８７は、キーワード「大分駿」と百科事典の「万石譲」の項目と「大分駿」の写真との関連付けを示すデータを格納する。このようにして、図１１の右側に示されるように、ＤＭＰ１１では、「大分駿」の写真と百科事典の「万石譲」の項目とが、「大分駿」であるキーワードを介して関連付けされることになる。
【００５０】
このように、記憶しているコンテンツに関する複数の関連情報から、１つの関連情報が選択され、選択された関連情報である選択関連情報を検索語句として、インターネットを介して、コンテンツに関係するコンテンツである関係コンテンツが検索される。そして、選択関連情報を介して、コンテンツと関係コンテンツとが関連付けられる。
【００５１】
関連付けの処理が繰り返されることにより、ＤＭＰ１１において、図１２に示されるように、コンテンツが関連付けられる。すなわち、「ガブリ美術館」であるキーワードを介して、「ガブリ美術館」の地図と百科事典の「ガブリ美術館」の項目とが関連付けられ、「大分駿」であるキーワードを介して、百科事典の「ガブリ美術館」の項目と、百科事典の「大分駿」の項目と、百科事典の「万石譲」の項目とが関連付けられる。また、「万石譲」であるキーワードを介して、「カウルの動く城  サウンドトラック」である音楽と、「万石譲」の動画と、百科事典の「万石譲」の項目とが関連付けられる。さらに、「スタジオガブリ」であるキーワードを介して、百科事典の「ガブリ美術館」の項目と、百科事典の「大分駿」の項目と、百科事典の「スタジオガブリ」の項目と、「スタジオガブリ」の地図と、百科事典の「仙人と亀」の項目とが関連付けられる。さらにまた、「仙人と亀」であるキーワードを介して、「仙人と亀」の動画と百科事典の「仙人と亀」の項目とが関連付けられる。図１２に示されるキーワードに注目すると、「ガブリ美術館」、「大分駿」、「万石譲」、「スタジオガブリ」、および「仙人と亀」であるそれぞれのキーワードのうち、最も多くのコンテンツに関連付けられているキーワードは、５つのコンテンツに関連付けられている「スタジオガブリ」であるキーワードである。そのため、ＤＭＰ１１の利用者が、「スタジオガブリ」であるキーワードに最も興味があるであろうと判断することができる。
【００５２】
この後、さらに関連付けの処理が繰り返されることにより、それまでに記憶されているコンテンツを出発点として様々なコンテンツにアクセスしたり、新しい音楽などのコンテンツを追加したりすることによって、それぞれのキーワードに関連付けられているコンテンツの数が変わるので、キーワードに関連付けられているコンテンツの数を参照することで、その時点での利用者の興味や関心を動的に判断することができる。
【００５３】
次に、図１３のフローチャートを参照して、キーワードに関連付けられているコンテンツの数を参照する検索の処理を説明する。ステップＳ４１において、嗜好キーワード選択部８８は、関連データベース８７に格納されている、記憶しているコンテンツと検索されたコンテンツとの関連付けを示すデータを参照にして、関連付けられているコンテンツの数の最も多いキーワードを選択する。ステップＳ４２において、ＧＰＳ受信処理部８９は、ＧＰＳ受信機である入力部５６で受信した、ＧＰＳ衛星からの信号から、現在位置を求める。ステップＳ４３において、Ｗｅｂブラウザ機能８５の検索部９３は、選択されたキーワードと現在位置とを検索語句として、インターネット１２上のサイトを検索する。ステップＳ４４において、Ｗｅｂブラウザ機能８５は、表示制御部８３に、検索の結果の表示を指示する。表示制御部８３は、ディスプレイである出力部５７に検索の結果を表示させ、検索の処理は終了する。
【００５４】
このように、キーワードを介したコンテンツの関連付けにより、ＤＭＰ１１は、利用者の嗜好に合致した情報を提供することが可能となる。
【００５５】
例えば、図１４に示されるように、仮に、「カウルの動く城」に多くのコンテンツが関連付けられており、「カウルの動く城」が、関連付けられているコンテンツの数が最も多いキーワードである場合、「カウルの動く城」に応じてインターネット上のコンテンツを検索することができる。また図１３の例では、利用者の位置に関連するコンテンツが検索される。この例の場合、利用者がフランスを訪れていることから、利用者の位置から「フランス」が導かれるものとし、例えば「カウルの動く城」および「フランス」の両方に関連するコンテンツが検索される。より具体的には、映画「カウルの動く城」の舞台が「フランス」のアルザス地方であることが記述されたＷｅｂページが検索され、これがディスプレイである出力部５７に表示される。
【００５６】
以上のように、ＤＭＰ１１は、利用者に、旅行先などで、利用者の関心のあるキーワードにゆかりの深い場所や建物に関する情報を提示することができるようになる。その結果、利用者は、自分の嗜好によりマッチした情報を受け取ることができるようになる。
【００５７】
ここまで、音楽を出発点とした例を示したが、ＤＭＰ１１に記憶されている写真または動画などの他のコンテンツを出発点として、キーワードを介してコンテンツを関連付けることもできる。例えば、図１５の左側に示されるように、ＤＭＰ１１が写真を表示している場合、ボタンが押圧されると、図１５の左側に示されるように、写真に含まれている情報、例えば、Ｅｘｉｆ情報中の撮影機種、撮影日、撮影場所（緯度・経度）などがキーワードとして表示される。ここで、利用者が撮影場所を地図上で見たい場合には、利用者は、タッチパネルである入力部５６を操作して、撮影場所であるキーワードの部分にタッチし、動画の選択を指示するアイコン、地図の選択を指示するアイコン、および事典の選択を指示するアイコンのうち、地図の選択を指示するアイコンにタッチする。これにより、選択部８４は、撮影場所（緯度・経度）のキーワードを選択し、コンテンツの種類として、地図を選択する。
【００５８】
検索部９３は、撮影場所を検索語句として、インターネット１２を介して、地図を検索する。関連付け部８６は、撮影場所であるキーワードと写真と地図とを関連付ける。その結果、図１６の左側に示されるように、撮影場所の地図がディスプレイである出力部５７に表示され、図１６の右側に示されるように、撮影場所であるキーワードと写真と地図とが関連付けられることになる。
【００５９】
さらに、キーワード抽出部８２が、表示されている地図から、地名などの情報を抽出して、抽出した情報をキーワードとしてリストに表示することで、表示されたキーワードの中から選択されたキーワードに関して、Ｗｉｋｉｐｅｄｉａ（商標）などの百科事典のサイトでキーワードに関する詳細な情報を表示させることができる。例えば、地図の中に「東大寺」の文字が含まれている場合、図１７の左側に示されるように、百科事典の「東大寺」の項目がディスプレイである出力部５７に表示され、図１７の右側に示されるように、「東大寺」であるキーワードと地図と百科事典の「東大寺」の項目とが関連付けられる。
【００６０】
音楽、写真、または動画以外にも、キーワードを含むあらゆるジャンルのコンテンツを出発点として、利用者の興味や関心のあるコンテンツを取得して、関連付けることができる。
【００６１】
このように、ＤＭＰ１１に記憶されているコンテンツは利用者の嗜好に合致したものであり、利用者が選択したキーワードは、利用者が欲しい情報の嗜好の方向性をさらに表すものであるため、コンテンツの内容による嗜好性に加えて、利用者が方向付けた他のコンテンツとの関連性により、利用者の嗜好をさらに明確にすることができる。
【００６２】
ＤＭＰ１１に記憶されているコンテンツ間の関連付けを基に利用者の嗜好を学習することで、位置情報などの新しい入力に対して、利用者の嗜好に合致した情報を提供することができる。
【００６３】
従来は、装置内の音楽、動画、写真などのコンテンツと、利用者がインターネットを介して検索するコンテンツとが独立であったが、本形態によれば、利用者の嗜好性が反映されている、ＤＭＰ１１に記憶されているコンテンツを出発点として自動的にキーワードが抽出されて、利用者に提示される。利用者はそれを選択することにより、文字入力などによって思考の流れが妨害されることなく、嗜好の方向性をより明確に示すことができる。
【００６４】
利用者の嗜好の方向性によって形成されたコンテンツ間の関連付けを基に、利用者の興味・関心の度合いを判定することが可能であるため、位置情報などの新しい入力に対して、利用者にとって意義深いと予測されるコンテンツをより的確に提案することが可能となる。
【００６５】
なお、ＤＭＰ１１がキーワードとコンテンツとを関連付けると説明したが、コンテンツを再生し、ネットワークに接続できるものであればよく、携帯電話機、デジタルオーディオプレーヤ、スマートフォン、ＰＤＡ、またはパーソナルコンピュータなどの情報処理装置に適用できる。
【００６６】
また、ステップＳ１２およびステップＳ２２において、ボタンが押圧されたか否かが判定されたが、タッチパネルにタッチされた、ＤＭＰ１１が振られた、またはダイヤルが回されたなど他のイベントが発生したか否かを判定するようにしてもよい。
【００６７】
上述した一連の処理は、ハードウェアにより実行することもできるし、ソフトウエアにより実行することもできる。
【００６８】
なお、上述したフローチャートが示した処理は、各ステップが、記載された順序に沿って時系列的に行われる処理はもちろん、必ずしも時系列的に処理されなくても、並列的あるいは個別に実行される処理を含むものである。例えば図１３のステップＳ４２の処理は、適宜省略することもできる。その場合、関連付けられているコンテンツの数が最も多いキーワードを検索語句として、ネットワーク上のコンテンツが検索される。
【実施例２】
【００６９】
続いて、本発明の実施例２に係るＤＭＰ１１Ａについて説明する。ＤＭＰ１１Ａは、実施例１のＤＭＰ１１と異なり、ネットワーク上のコンテンツを検索するものではなく、ＤＭＰ１１Ａ自体の記憶領域、またはＤＭＰ１１Ａにネットワークを介さずに直接接続された外部記憶媒体（不図示）に記憶されている、選択されているコンテンツとは異なる種類（音楽、動画、または静止画など）または同一種類のコンテンツを検索可能としたものである。なお、ＤＭＰ１１Ａのハードウェア構成例は、図２に示す実施例１のＤＭＰ１１のハードウェア構成例と同一であるため、図示および説明を省略する。また、ＤＭＰ１１Ａのプログラムにより実現される機能の構成については、同一の機能については同一の符号を付し、その説明を省略する。
【００７０】
図１８は、ＤＭＰ１１Ａのプログラムが実行されることによって実現される機能の構成例を示すブロック図である。図１８に示すように、ＤＭＰ１１Ａのプログラムが実行されることにより、再生制御部８１、キーワード抽出部８２、表示制御部８３Ａ、選択部８４、関連制御部８６Ａ、関連データベース８７、検索部９３Ａ、関連付け部９５、嗜好履歴蓄積部９６、および嗜好履歴データベース９７が実現される。
【００７１】
関連制御部８６Ａは、コンテンツの関連付けに関する処理全般を制御するものであり、具体的には関連付け部９５と、嗜好履歴蓄積部９６とを有する。
【００７２】
関連付け部９５は、選択されたキーワードを介して、記憶しているコンテンツと検索されたコンテンツとを関連付ける。
【００７３】
嗜好履歴蓄積部９６は、関連付け部９５による関連付け処理がなされたキーワードのうち、ユーザが実際に選択した関連コンテンツのキーワードをユーザの嗜好履歴として嗜好履歴データベース９７に記憶し、蓄積するものである。なお、嗜好履歴データベース９７には、当該キーワード自体の情報のほか、当該キーワードにより関連付けされた回数を示す情報が保持されている。
【００７４】
検索部９３Ａは、関連データベース８７に関連付けされているコンテンツであって、入力部により指定されたコンテンツに含まれるメタデータをキーワードとして、当該キーワードを含む種類の異なるコンテンツまたは同一種類のコンテンツを検索する。また、検索部９３Ａは、装置内の記憶領域、またはＤＭＰ１１Ａにネットワークを介さずに直接接続された外部記憶媒体（不図示）に記憶されているコンテンツであって、入力部により指定されたコンテンツに含まれるメタデータをキーワードとして、当該キーワードを含む種類の異なるコンテンツまたは同一種類のコンテンツを検索する。
【００７５】
次に、図１９のフローチャートを参照して、ＤＭＰ１１Ａによる関連付けの処理を説明する。
【００７６】
ステップＳ５１において、ＤＭＰ１１Ａは、キーワード取得トリガの発生有無を判定する。キーワード取得トリガが発生すると、ステップＳ５２において、ＤＭＰ１１Ａは、ユーザが視聴中のコンテンツのメタデータからキーワードを抽出する。一方、ＤＭＰ１１Ａは、キーワード取得トリガが発生しない場合には関連付け処理を終了する（ＥＮＤ）。ここでいうキーワード取得トリガとは、ユーザが聴取中のコンテンツにおけるメタデータより取得するが、聴取中に限らず、選択したコンテンツやコンテンツの聴取履歴に基づいてもよい。
【００７７】
たとえば、図２０に示すＤＭＰ１１Ａにて「カウルの動く城  サウンドトラック」という音楽を視聴中に、ユーザが入力部５６からキーワード取得指示を行った場合には、図２０のＤＭＰ１１Ａの右側に示すように、ＤＭＰ１１Ａのキーワード抽出部８２は、当該「カウルの動く城  サウンドトラック」のメタデータから「カウルの動く城」、「半賞千恵子」、「万石譲」、「スタジオガブリ」という４つのキーワードを抽出する。
【００７８】
そして、ステップＳ５３において、検索部９３Ａは、キーワード抽出部８２により抽出された複数のキーワードから関連するコンテンツを検索するために関連データベース８７を参照してコンテンツを検索する。更に、ステップＳ５４において、検索部９３Ａは、ＤＭＰ１１Ａの記憶領域、またはＤＭＰ１１Ａにネットワークを介さずに直接接続された外部記憶媒体を参照し、キーワード抽出部８２により抽出された複数のキーワードをメタデータとして含むコンテンツを検索する。そして、ステップＳ５５において、関連付け部９５は、ステップＳ５４にて検索された各コンテンツのうち、ステップＳ５３において検索されたコンテンツ以外のコンテンツ（つまり、関連データベース８７に存在しなかったコンテンツ）を取得する。そして、ステップＳ５６において、関連付け部９５は、視聴中のコンテンツから抽出された複数のキーワードそれぞれとの関連付けを関連データベース８７に記憶する。
【００７９】
たとえば、ステップＳ５３において、検索部９３Ａは、ステップＳ５２で抽出された４つのキーワードから関連データベース８７を検索して、「カウルの動く城」という動画、「上空の城ラピュタサウンドトラック」という音楽、「四鷹の森ガブリ美術館」という地図の３つのコンテンツを取得したとする。更に、ステップＳ５４において、検索部９３Ａは、上記３つのコンテンツに加えて、「男たちのトマト／ＴＯＭＡＴＯサウンドトラック」という音楽を取得したとする。すると、ステップＳ５６において、関連付け部９５は、図２１のＤＭＰ１１Ａの右側に示すように、「万石譲」というキーワードと、「男たちのトマト／ＴＯＭＡＴＯサウンドトラック」という音楽との関連付けを関連データベース８７に記憶する。なお、出力部５７には、図２１の左側に示すように、ステップＳ５３において検索されたコンテンツおよびステップＳ５５において取得されたコンテンツが関連コンテンツとして一覧表示される。
【００８０】
続いて、ステップＳ５７において、関連制御部８６Ａは、出力部５７にリスト表示されたコンテンツ一覧からユーザがあるコンテンツを選択すると、ステップＳ５８において、当該コンテンツに関する情報が出力部５７に表示させると共に、視聴中のコンテンツと選択されたコンテンツとを関連付けさせたキーワードをユーザの嗜好履歴として嗜好履歴データベース９７に記憶させる。なお、既に嗜好履歴データベース９７に当該キーワードが登録されている場合には、当該キーワードの参照回数を「１」加算する。イ一方、ステップＳ５７にいて、関連制御部８６Ａは、出力部５７にリスト表示されたコンテンツ一覧からユーザがあるコンテンツを選択する以外の処理があると、関連付け処理を終了する（ＥＮＤ）。
【００８１】
たとえば、ユーザが図２１のＤＭＰ１１Ａに示す画面において入力部５６を介して「男たちのトマト／ＴＯＭＡＴＯサウンドトラック」という音楽を選択すると、図２２のＤＭＰ１１Ａに示す画面に示すように出力部５７には、「男たちのトマト／ＴＯＭＡＴＯサウンドトラック」に収録されているサウンドトラック一覧が表示される。そして、図２２のＤＭＰ１１Ａの右側に示すように、「男たちのトマト／ＴＯＭＡＴＯサウンドトラック」という音楽と、「カウルの動く城サウンドトラック」という音楽を関連付けていたキーワードである「万石譲」をユーザの嗜好履歴として嗜好履歴データベース９７に記憶される。
【００８２】
更に、図１９のステップＳ５８の処理以降において、キーワード取得トリガが発生すると、ステップＳ５２に処理を移行し、選択されている状態となっているコンテンツのメタデータからキーワードを抽出する。そして、ステップＳ５２〜ステップＳ５７の処理を繰り返す。
【００８３】
たとえば、図２２のＤＭＰ１１Ａに示す画面において、ユーザが入力部５６を介して「男たちのトマト／ＴＯＭＡＴＯサウンドトラック」という音楽についてのキーワード取得トリガを発生させると、「男たちのトマト／ＴＯＭＡＴＯサウンドトラック」という音楽のメタデータである「万石譲」と「トマト」というキーワードが抽出され、関連データベース８７内に当該キーワードに関連付けられたコンテンツおよび自装置内の記憶領域に記憶されている当該キーワードをメタデータとして有するコンテンツを検索し、これらのコンテンツの一覧を出力部５７に表示させる。すなわち、図２３のＤＭＰ１１Ａに示すように、「万石譲」と「トマト」というキーワードに関連するコンテンツとして、「カウルの動く城」という動画、「カウルの動く城  サウンドトラック」という音楽、「上空の城ラピュタサウンドトラック」という音楽、「男たちのトマト／ＴＯＭＡＴＯサウンドトラック」という音楽、「トマトミュージアム００１」という写真、「トマトミュージアム００２」という写真、「宇宙戦艦トマト」という動画が関連コンテンツ一覧として表示される。なお、図２２のＤＭＰ１１Ａの右側に示すように、「トマトミュージアム００１」という写真、「トマトミュージアム００２」という写真、「宇宙戦艦トマト」という動画それぞれについて、「トマト」というキーワードとの関連付けが関連データベース８７に記憶される。
【００８４】
更に、図２３のＤＭＰ１１Ａに示す画面において、入力部５６を介して「カウルの動く城」という動画を選択すると、図２４のＤＭＰ１１Ａに示すように、「カウルの動く城」の再生が可能となる画面が表示される。この図２４のＤＭＰ１１Ａに示す画面において、ユーザが入力部５６を介して「カウルの動く城」という動画についてのキーワード取得トリガを発生させると、当該コンテンツのメタデータに含まれる「２００４」というキーワードを取得し、図２４のＤＭＰ１１Ａの右側に示すように関連データベース８７内において、「カウルの動く城」という動画と「２００４」というキーワードとの関連付けが行われる。そして、図２４のＤＭＰ１１Ａに示す画面においてユーザが入力部５６を介して、「カウルの動く城」という動画についての関連コンテンツ取得トリガを発生させると、関連データベース８７、自装置内の記憶領域、またはＤＭＰ１１Ａにネットワークを介さずに直接接続された外部記憶媒体を参照して、他のコンテンツを検索する。その検索結果である、「ＲＡＤＡ０００３.ＷＭＡ」という音楽ファイルと、「ＲＡＤＡ０００４.ＷＭＡ」という音楽ファイルと、「１０４４０９１９」という写真フォルダと、「１０５４１０２１」という写真フォルダが見つかり、これらが「２００４」のキーワードと関連データベース８７内において関連付けられると共に、図２５のＤＭＰ１１Ａに示すように、「カウルの動く城」の関連コンテンツ一覧画面が表示される。
【００８５】
なお、上記のフローチャートの処理において、リスト表示されたコンテンツ一覧からユーザがあるコンテンツを選択した場合に、当該コンテンツの再生を開始するようにしてもよい。
【００８６】
また、抽出されたキーワードが３以上抽出された場合には、嗜好履歴データベース９７内に記憶されている各キーワードの参照回数を比較して、数値が大きいキーワードに限定して関連コンテンツを検索するようにしてもよい（たとえば、参照回数が多い上位３つのキーワードなど）。これにより、参照回数の数値が大きいキーワードほどユーザの嗜好性の高いキーワードであると判断できるため、よりユーザの嗜好に合わせた検索処理が可能となる。
【００８７】
以上に説明した、本発明の実施例は、上述した各実施例に限定されるものではなく、本発明の要旨を逸脱しない範囲において種々の変更が可能である。たとえば、上記実施例１においては、インターネット１２を介してコンテンツを検索したが、イントラネットやホームネットワークであってもよい。
【符号の説明】
【００８８】
１１および１１Ａ…ＤＭＰ、１２…インターネット、１３−１および１３−２…Ｗｅｂサーバ、５１…ＣＰＵ、５２…ＲＯＭ、５３…ＲＡＭ、５６…入力部、５７…出力部、５８…記憶部、５９…通信部、６１…リムーバブルメディア、８１…再生制御部、８２…キーワード抽出部、８３…表示制御部、８４…選択部、８５…Ｗｅｂブラウザ機能、８６および９５…関連付け部、８６Ａ・・・関連制御部、８７…関連データベース、８８…嗜好キーワード選択部、８９…ＧＰＳ受信処理部、９１…キーワード選択部、９２…コンテンツ種類選択部、９３および９３Ａ…検索部、９６・・・嗜好履歴蓄積部、９７・・・嗜好履歴データベース
【図２】
2010191940.tif 000003
【図３】
2010191940.tif 000004
【図４】
2010191940.tif 000005
【図５】
2010191940.tif 000006
【図６】
2010191940.tif 000007
【図１０】
2010191940.tif 000008
【図１２】
2010191940.tif 000009
【図１３】
2010191940.tif 000010
【図１８】
2010191940.tif 000011
【図１９】
2010191940.tif 000012
【図２１】
2010191940.tif 000013
【図２２】
2010191940.tif 000014
【図２３】
2010191940.tif 000015
【図２５】
2010191940.tif 000016
【図１】
2010191940.tif 000017
【図７】
2010191940.tif 000018
【図８】
2010191940.tif 000019
【図９】
2010191940.tif 000020
【図１１】
2010191940.tif 000021
【図１４】
2010191940.tif 000022
【図１５】
2010191940.tif 000023
【図１６】
2010191940.tif 000024
【図１７】
2010191940.tif 000025
【図２０】
2010191940.tif 000026
【図２４】
2010191940.tif 000027